(57)【要約】【課題】冷却用の圧縮エアを有効利用することで、圧縮エアの使用量を抑えつつ、転がり軸受の冷却とエアパージの両方を効果的に行うことができ、特別な転がり軸受を用いずに構成することが可能な軸受装置の冷却構造を提供する。【解決手段】この冷却構造が適用される軸受装置は、転がり軸受３，４の外輪３ａ，４ａおよび内輪３ｂ，４ｂに隣り合って外輪間座１５および内輪間座１６がそれぞれ介在する。外輪３ａ，４ａおよび外輪間座１５はハウジング２に設置され、内輪３ｂ，４ｂおよび内輪間座１６は回転軸１に嵌合する。外輪間座１５の内周面に、内輪間座１６の外周面に向けて冷却用の圧縮エアＡを吹き付けるエア供給口２３が設けられている。間座空間２１Ａ，２１Ｂから回転軸１の先端の外周に圧縮エアＡを導く排気経路３０が設けられている。排気経路３０は、ハウジング２の内部を通っている。【選択図】図２
2019173911.tif 000002
【特許請求の範囲】
【請求項１】
転がり軸受の外輪および内輪に隣り合って外輪間座および内輪間座がそれぞれ介在し、前記外輪および前記外輪間座がハウジングに設置され、前記内輪および前記内輪間座が回転軸に嵌合した軸受装置において、
前記外輪間座の内周面に、前記内輪間座の外周面に向けて冷却用の圧縮エアを吹き付けるエア供給口が設けられ、前記内輪間座と前記外輪間座との間の間座空間から前記回転軸の先端の外周に前記圧縮エアを導く排気経路が設けられ、この排気経路は前記ハウジングの内部を通ることを特徴とする軸受装置の冷却構造。
【請求項２】
請求項１に記載の軸受装置の冷却構造において、前記排気経路は、前記ハウジングの内部に設けられたハウジング内経路部分と、前記間座空間と前記ハウジング内経路部分とを連通する連絡経路部分とを有し、前記連絡経路部分が、前記外輪間座の軸方向端面に設けられた溝である軸受装置の冷却構造。
【請求項３】
請求項２に記載の軸受装置の冷却構造において、前記連絡経路部分が、前記外輪間座の軸方向両端面に設けられた軸受装置の冷却構造。
【請求項４】
請求項１ないし請求項３のいずれか１項に記載の軸受装置の冷却構造において、前記内輪間座の軸方向両端部に、外径側に張り出して前記エア供給口から供給された圧縮エアが前記転がり軸受における前記内輪と前記外輪との間の軸受空間に流入するのを阻む障害壁が設けられている軸受装置の冷却構造。
【請求項５】
請求項１ないし請求項４のいずれか１項に記載の軸受装置の冷却構造において、前記エア供給口は、前記回転軸の回転方向の前方に傾斜させて設けられていると共に、前記外輪間座の軸心に垂直な断面における任意の半径方向の直線から、この直線と直交する方向にオフセットした位置にある軸受装置の冷却構造。
【発明の詳細な説明】
【技術分野】
【０００１】
この発明は、軸受装置の冷却構造に関し、例えば、工作機械の主軸および主軸に組み込まれる軸受装置の冷却構造に関する。
【背景技術】
【０００２】
現在、工作機械の主軸装置は、装置内部に駆動用のモータを組込んだいわゆるモータビルトインタイプが多くなってきている。モータビルトインタイプの主軸装置では、モータの発熱による軸受の温度上昇を抑えるために、圧縮エアを用いて軸受を冷却することが行われている（例えば特許文献１）。特許文献１の軸受装置は、軸受をグリース潤滑するものであって、外輪間座に設けられたエア供給口から内輪間座に向けて圧縮エアを吐出して、内輪間座およびそれに隣接する軸受、主軸等を冷却する。
【０００３】
また、工作機械の主軸装置では、内部に洗浄液、切削液、加工時に発生する切屑等が浸入するのを防止するために、圧縮エアを用いたエアパージ機能を有するものがある（例えば特許文献２）。特許文献２の主軸装置は、外部からハウジングの内部に供給される圧縮エアが、軸受を迂回する経路を通って外部に排出されるようにすることで、圧縮エアに包含された不純物が軸受に付着したり、軸受に塗布されているグリースが漏出したりすることを防止している（段落００４３）。
【０００４】
１台の空気圧縮機から供給される圧縮エアで軸受の冷却とエアパージの両方を行う場合、従来は、図７に示すように、軸受冷却用およびエアパージ用の各圧縮エアの経路をそれぞれ独立させていた。すなわち、軸受冷却用の圧縮エアＡ１は、ハウジング２に設けられた軸受冷却用経路４０を通って、外輪間座１５に設けられたエア供給口２３から内輪間座１６に向けて吹き付けられ、内輪間座１６およびその両側の転がり軸受３，４を冷却した後、外輪間座１５に設けられた排気溝４１とハウジング２に設けられた排気経路４２とを通って外部に排出される。また、エアパージ用の圧縮エアＡ２は、ハウジング２の前蓋１４に設けられたエアパージ用経路４３を通って、主軸１と前蓋１４との間の隙間４４に流され、この隙間４４から主軸１の先端の外周に吐出される。
【先行技術文献】
【特許文献】
【０００５】
【特許文献１】特開２０１４−０６２６１９号公報
【特許文献２】特開２００７−１０５８５０号公報
【発明の概要】
【発明が解決しようとする課題】
【０００６】
通常、工作機械１台当たり１機の空気圧縮機が用いられる。その場合、工作機械の小型化やエネルギー消費を抑える観点から、余力を抑えた容量の小さい空気圧縮機が使用される。そのため、圧縮エアを無駄なく有効に使用しなければならない。しかし、従来のように軸受を冷却した後の圧縮エアをそのまま排気すると、１機の空気圧縮機で軸受冷却用とエアパージ用の両方の圧縮エアを賄わなくてはならず、空気圧縮機が容量不足となって、軸受の冷却とエアパージの両方について十分な効果が得られない可能性がある。
【０００７】
この発明の目的は、圧縮エアを有効利用することで、圧縮エアの使用量を抑えつつ、転がり軸受の冷却とエアパージの両方を効果的に行うことができ、特別な転がり軸受を用いずに構成することが可能な軸受装置の冷却構造を提供することである。
【課題を解決するための手段】
【０００８】
この発明の軸受装置の冷却構造は、転がり軸受の外輪および内輪に隣り合って外輪間座および内輪間座がそれぞれ介在し、前記外輪および前記外輪間座がハウジングに設置され、前記内輪および前記内輪間座が回転軸に嵌合した軸受装置において、
前記外輪間座の内周面に、前記内輪間座の外周面に向けて冷却用の圧縮エアを吹き付けるエア供給口が設けられ、前記内輪間座と前記外輪間座との間の間座空間から前記回転軸の先端の外周に前記圧縮エアを導く排気経路が設けられ、この排気経路は前記ハウジングの内部を通ることを特徴とする。
【０００９】
この構成によると、外輪間座に設けられたエア供給口より、冷却用の圧縮エアが内輪間座の外周面に向けて吹き付けられる。内輪間座に衝突した圧縮エアが内輪間座の熱を奪うことで、それに隣接する転がり軸受の内輪および回転軸を効率良く冷却する。転がり軸受等を冷却した後の圧縮エアは、排気経路を通って回転軸の先端の外周に排出されて、その周辺部に存在する洗浄液、切削液、切屑等を吹き飛ばす。このように、転がり軸受等の冷却に使用した圧縮エアをエアパージにも使用するため、圧縮エアの供給系統が１系統だけで済み、圧縮エアの全体使用量が抑えられる。このため、比較的小容量の空気圧縮機であっても、転がり軸受の冷却とエアパージの両方を効果的に行うことができる。
【００１０】
排気経路をハウジングの内部に通すことで、ハウジングだけで排気経路を完結することができる。そのため、特別な転がり軸受を使用しなくてもよい。
【００１１】
この発明において、前記排気経路は、前記ハウジングの内部に設けられたハウジング内経路部分と、前記間座空間と前記ハウジング内経路部分とを連通する連絡経路部分とを有し、前記連絡経路部分が、前記外輪間座の軸方向端面に設けられた溝であるとよい。
連絡経路部分が外輪間座の軸方向端面に設けられた溝であると、連絡経路部分を容易に加工することができる。
【００１２】
前記連絡経路部分が、前記外輪間座の軸方向両端面に設けられていてもよい。
この場合、間座空間内の圧縮エアが外輪間座の軸方向両端からハウジング内経路部分へと排気されるので、間座空間内における圧縮エアの流れの偏りが少なくなり、内輪間座を均等に冷却することができる。
【００１３】
この発明において、前記内輪間座の軸方向両端部に、外径側に張り出して前記エア供給口から供給された圧縮エアが前記転がり軸受における前記内輪と前記外輪との間の軸受空間に流入するのを阻む障害壁が設けられていてもよい。
障害壁により圧縮エアが軸受空間に流入することが阻まれるため、軸受空間内のグリースの漏出をより一層抑えることができる。
【００１４】
この発明において、前記エア供給口は、前記回転軸の回転方向の前方に傾斜させて設けられていると共に、前記外輪間座の軸心に垂直な断面における任意の半径方向の直線から、この直線と直交する方向にオフセットした位置にあってもよい。
このようにエア供給口が傾斜していると、エア供給口から吹き出された圧縮エアが、内輪間座の外周面に沿って旋回しながら軸方向に流れる。圧縮エアが旋回すると、軸方向にまっすぐ流れる場合と比べて、圧縮エアが内輪間座の外周面を接している時間が長くなり、内輪間座をより一層効率良く冷却することができる。このため、冷却効果が向上し、圧縮エアの使用量を抑えることができる。
また、エア供給口が傾斜していると、エア供給口から吹き出された圧縮エアが内輪間座の外周面に当たる際に、圧縮エアの押圧力を内輪間座に与えることができ、回転軸を駆動する作用を期待することができる。
【発明の効果】
【００１５】
この発明の軸受装置の冷却構造は、転がり軸受の外輪および内輪に隣り合って外輪間座および内輪間座がそれぞれ介在し、前記外輪および前記外輪間座がハウジングに設置され、前記内輪および前記内輪間座が回転軸に嵌合した軸受装置において、前記外輪間座の内周面に、前記内輪間座の外周面に向けて冷却用の圧縮エアを吹き付けるエア供給口が設けられ、前記内輪間座と前記外輪間座との間の間座空間から前記回転軸の先端の外周に前記圧縮エアを導く排気経路が設けられ、この排気経路は前記ハウジングの内部を通るため、冷却用の圧縮エアを有効利用することで、圧縮エアの使用量を抑えつつ、転がり軸受の冷却とエアパージの両方を効果的に行うことができ、特別な転がり軸受を用いずに構成することが可能である。
【図面の簡単な説明】
【００１６】
【図１】この発明の一実施形態に係る冷却構造を備えた軸受装置の断面図である。
【図２】図１の部分拡大図である。
【図３】図２の一部分を取り出して示す図である。
【図４】（Ａ），（Ｂ）はいずれも外輪間座の一部分を展開して示す図である。
【図５】図２のＶ−Ｖ面となる横断面図である。
【図６】異なる軸受装置の横断面図である。
【図７】従来の軸受装置の断面図である。
【発明を実施するための形態】
【００１７】
この発明の一実施形態に係る軸受装置の冷却構造を図１ないし図５と共に説明する。
図１は軸受装置の全体を示す断面図である。この軸受装置は、工作機械用のものであって、回転軸である主軸１の先端側（図の左側）に工具またはチャックが取り付けられる。主軸１は、軸方向に離れた先端部分および後端部分で、それぞれ転がり軸受３，４，５によりハウジング２に対して回転自在に支持されている。
【００１８】
主軸１の先端部分を支持する転がり軸受３，４は、共にアンギュラ玉軸受であって、背面組合せで配置されている。これら転がり軸受３，４よりも後端側の位置に、主軸１の先端部分を支持する別の転がり軸受が設けられていてもよい。主軸１の後端部分を支持する転がり軸受５は、円筒ころ軸受であって、単独で用いられている。
【００１９】
この主軸用の軸受装置は、ハウジング２の内部にモータを内蔵した、いわゆるビルトインモータ駆動方式であって、先端側の転がり軸受３，４と後端側の転がり軸受５との間に、ビルトインモータ７が設けられている。ビルトインモータ７は、主軸１に取り付けられたロータ８、ハウジング２に取り付けられたステータ９等で構成される。ロータ８は永久磁石等からなり、ステータ９はコイルおよびコア等からなる。
【００２０】
ハウジング２は、ハウジング本体１１と、このハウジング本体１１の後端側に配置された後部ハウジング部材１２と、前記ビルトインモータ７とほぼ同じ軸方向位置でハウジング本体１１の内周に嵌合した円筒状のモータハウジング部材１３と、ハウジング本体１１の先端面に当接して設けられた前蓋１４とからなる。そして、ハウジング本体１１の前端部の内周に前記転がり軸受３，４の外輪３ａ，４ａが嵌め合わされ、後部ハウジング部材１２の内周に前記転がり軸受５の外輪５ａが嵌め合わされている。各転がり軸受３，４，５の内輪３ｂ，４ｂ，５ｂは、それぞれ主軸１の外周面に嵌め合わされている。また、モータハウジング部材１３の内周に、前記ステータ９が取り付けられている。
【００２１】
図２はこの発明の冷却構造が適用された軸受装置の主要部を示す。また、図３は図２の一部分を取り出して示す図である。
主軸１の先端部分を支持する転がり軸受３，４は、前述したようにアンギュラ玉軸受であって、外輪３ａ，４ａおよび内輪３ｂ，４ｂの各軌道面間に複数の転動体３ｃ，４ｃが介在し、これら転動体３ｃ，４ｃが保持器３ｄ，４ｄにより円周方向に等配に保持される。この例では、一対の転がり軸受３，４が背面組合せの配置で設置されているが、正面組合せの配置であってもよい。
【００２２】
図３において、転がり軸受３は、外輪３ａの軸方向両端にシール部材３ｅ，３ｆがそれぞれ取り付けられている。各シール部材３ｅ，３ｆは、外輪３ａに設けられた円周溝に外径端を嵌め込んで取り付けられ、内径端のシールリップが内輪３ｂの外周面に接触または近接している。そして、外輪３ａと内輪３ｂと両側のシール部材３ｅ，３ｆとに囲まれた軸受空間にグリースが封入される。
【００２３】
転がり軸受４も、転がり軸受３と同様に、外輪４ａの軸方向両端にシール部材４ｅ，４ｆがそれぞれ取り付けられている。各シール部材４ｅ，４ｆは、外輪４ａに設けられた円周溝に外径端を嵌め込んで取り付けられ、内径端のシールリップが内輪４ｂの外周面に接触または近接している。そして、外輪４ａと内輪４ｂと両側のシール部材４ｅ，４ｆとに囲まれた軸受空間にグリースが封入される。
【００２４】
図２において、一対の転がり軸受３，４の間には、外輪間座１５および内輪間座１６がそれぞれ介在している。外輪間座１５はハウジング本体１１の内周に嵌合し、内輪間座１６は主軸１に嵌合している。
転がり軸受３の外輪３ａは、外輪間座１５と前蓋１４とによって軸方向に位置決めされている。転がり軸受４の外輪４ａは、外輪間座１５とハウジング本体１１の段面１１とによって軸方向に位置決めされている。転がり軸受３の内輪３ｂは、内輪間座１６と前側の位置決め間座１７とによって軸方向に位置決めされている。前側の位置決め間座１７は、主軸１の先端フランジ部１ａの後端側に配置された回転体である。転がり軸受４の内輪４ｂは、内輪間座１６と後側の位置決め間座１８とによって軸方向に位置決めされている。
【００２５】
図３において、外輪間座１５は、円筒部１５ａと、この円筒部１５ａの軸方向中央から内径側へ突出する環状凸部１５ｂとからなる断面凸形状である。一方、内輪間座１６は、円筒部１６ａと、この円筒部１６ａの軸方向両端から外径側へ張り出す一対の障害壁１６ｂとからなる断面凹形状である。そして、外輪間座１５の環状凸部１５ｂの内周面と内輪間座１６の円筒部１６ａの外周面とが、径方向隙間２０を介して対向している。環状凸部１５ｂの軸方向両側は、外輪間座１５と内輪間座１６とがある程度の距離を隔てて対向する間座空間２１Ａ，２１Ｂとなっている。
なお、外輪間座１５の環状凸部１５ｂが内輪間座１６の障害壁１６ｂと干渉して組み立てられないこと防ぐために、内輪間座１６は、例えば軸方向中間部で２つに分割されている。
【００２６】
内輪間座１６の前記障害壁１６ｂは、この例では、軸方向外側へ行くに従い外径側に張り出す形状であって、その外径端が周方向および軸方向共に転がり軸受３，４の外輪３ａ，４ａに近接している。これにより、障害壁１６ｂの軸方向外側の側面とシール部材３ｅ，４ｅとの間に、ラビリンス効果を持つ軸方向隙間２２が形成されている。
【００２７】
外輪間座１５の環状凸部１５ｂの内周面に、内輪間座１６の円筒部１６ａの外周面に向けて冷却用の圧縮エアＡを吹き付けるエア供給口２３が設けられている。この例では、図２のＶ−Ｖ断面図である図５に示すように、エア供給口２３の数が３個であり、各エア供給口２３は円周方向に等配とされている。
【００２８】
前記圧縮エアＡは、軸受装置の外部に設けられた空気圧縮機（図示せず）から供給される。すなわち、図１に示すように、ハウジング本体１１の外周面に空気圧縮機に接続するエア取込み口２４が開いており、このエア取込み口２４に続くエア供給経路２５がハウジング本体１１の内部に形成されている。エア供給経路２５は、外輪間座１５の外周面まで延びている。
【００２９】
図３、図５に示すように、外輪間座１５の外周面には、圧縮エアＡを導入する導入溝２６が設けられている。この導入溝２６は、外輪間座１５の外周面における軸方向中間に設けられ、エア供給口２３と同数の接続孔２７を介して各エア供給口２３に連通している。接続孔２７は、例えば径方向に延びる孔である。エア供給口２３は、接続孔２７よりも孔径が小さいノズル状の孔である。
エア取込み口２４（図１）から取り込まれた圧縮エアＡが、エア供給経路２５、導入溝２６、および接続孔２７を順に通って、エア供給口２３から内輪間座１６の円筒部１６ａの外周面に向けて吹き付けられる。
【００３０】
図２に示すように、間座空間２１Ａ，２１Ｂから主軸１の先端側の外部空間へ圧縮エアＡを導く排気経路３０が構成されている。この排気経路３０は、外輪間座１５に設けられた連絡経路部分３１と、ハウジング２の内部に設けられたハウジング内経路部分３２とで構成される。排気経路３０の数は特に限定されないが、例えば周方向の３箇所に等配で設けられる。
【００３１】
連絡経路部分３１は、外輪間座１５の円筒部１５ａの軸方向両端面に設けられた径方向の溝である。この溝からなる連絡経路部分３１は、例えば図４に示すような矩形の断面形状であり、外輪間座１５に隣接して転がり軸受３，４の外輪３ａ，４ａが配置されることで孔形状となる。連絡経路部分３１の周方向位置は、図４（Ａ）のようにエア供給口２３と同じであってもよく、また図４（Ｂ）のようにエア供給口２３に対してずれていてもよい。
【００３２】
図２において、ハウジング内経路部分３２は、連絡経路部分３１に続いてハウジング本体１１の内部を外径側に延びる２つの径方向部３２ａと、これら径方向部３２ａの外径端に繋がりハウジング本体１１の内部を軸方向に延びる軸方向部３２ｂと、前蓋１４の内部に形成され軸方向部３２ｂの前端と排気隙間３３とを繋ぐ折曲り部３２ｃとからなる。排気隙間３３は、前蓋１４と主軸１および前側の位置決め間座１７との間に形成された環状の隙間であって、前蓋１４と主軸１との間の隙間部分に前記折曲り部３２ｃの先端が開口している。
【００３３】
排気隙間３３の後端は、前側の転がり軸受３の軸受空間に繋がっている。このため、軸受空間の圧力が高い場合に、軸受空間内の空気が排気隙間３３を通って主軸１の先端側の外部空間へ流れる。しかし、排気隙間３３の断面形状は、全体的に複雑に折れ曲がったラビリンス構造をしているため、主軸１の先端側の外部空間から軸受空間へ異物が通ることが抑制される。
【００３４】
［軸受装置の冷却構造の作用］
この軸受装置は、運転時等に、冷却用の圧縮エアＡが、外輪間座１５に設けられたエア供給口２３から、内輪間座１６の円筒部１６ａの外周面に向けて吹き付けられる。そして、圧縮エアＡは、径方向隙間２０を通って軸方向両側の間座空間２１Ａ，２１Ｂに流れる。この間に、圧縮エアＡが内輪間座１６の熱を奪うことで、それに隣接する転がり軸受３，４の内輪３ｂ，４ｂおよび主軸１を効率良く冷却する。
【００３５】
その後、間座空間２１Ａ，２１Ｂの圧縮エアＡは、排気経路３０を通って、排気隙間３３から主軸１の先端側の外部空間へ排出される。これにより、主軸１の先端フランジ部１ａの外周に存在する洗浄液、切削液、切屑等を吹き飛ばすエアパージ作用が得られる。
【００３６】
排気経路３０を通って間座空間２１Ａ，２１Ｂから圧縮エアＡを排気させることで、転がり軸受３，４の軸受空間を通る圧縮エアＡの量を減らすことができる。このため、軸受空間内のグリースの漏出が抑えられる。特に、この実施形態の場合、内輪間座１６の軸方向両端部に障害壁１６ｂが設けられているため、圧縮エアＡが軸受空間に流入することが阻まれて、軸受空間内のグリースの漏出をより一層抑えることができる。
【００３７】
このように、内輪間座１６、転がり軸受３，４等の冷却に使用した圧縮エアＡをエアパージにも使用するため、圧縮エアＡの使用量が抑えられる。そのため、比較的小容量の空気圧縮機であっても、内輪間座１６、転がり軸受３，４等の冷却とエアパージの両方を効果的に行うことができる。排気経路３０をハウジング２の内部に通すことで、ハウジング２だけで排気経路３０を完結することができる。そのため、特別な転がり軸受３，４を使用しなくてもよい。
【００３８】
［他の実施形態］
主軸１の回転方向が一定である場合、図６のように、前記接続孔２７および前記エア供給口２３を、内径側が主軸１の回転方向の前方に位置するように傾斜させてもよい。つまり、接続孔２７およびエア供給口２３が、外輪間座１５の軸心に垂直な断面における任意の半径方向の直線Ｌから、この直線Ｌと直交する方向にオフセットした位置にある。
【００３９】
このように接続孔２７およびエア供給口２３が傾斜していると、エア供給口２３から吹き出された圧縮エアＡが、内輪間座１６の外周面に沿って旋回しながら軸方向に流れる。圧縮エアＡが旋回すると、軸方向にまっすぐ流れる場合と比べて、圧縮エアＡが内輪間座１６の外周面を接している時間が長くなり、内輪間座１６をより一層効率良く冷却することができる。そのため、冷却効果が向上し、圧縮エアＡの使用量を抑えることができる。
また、接続孔２７およびエア供給口２３が傾斜していると、エア供給口２３から吹き出された圧縮エアＡが内輪間座１６の外周面に当たる際に、圧縮エアＡの押圧力を内輪間座１６に与えることができ、主軸１を駆動する作用を期待することができる。
【００４０】
この実施形態では、転がり軸受３，４がグリース潤滑方式であるが、転がり軸受３，４がエアオイルやオイルミスト等のオイル潤滑方式である場合にも、この発明の冷却構造を適用することができる。
【００４１】
以上、実施例に基づいて本発明を実施するための形態を説明したが、ここで開示した実施の形態はすべての点で例示であって制限的なものではない。本発明の範囲は上記した説明ではなくて特許請求の範囲によって示され、特許請求の範囲と均等の意味および範囲内でのすべての変更が含まれることが意図される。
【符号の説明】
【００４２】
１…主軸（回転軸）
２…ハウジング
３，４…転がり軸受
３ａ，４ａ…外輪
３ｂ，４ｂ…内輪
１５…外輪間座
１６…内輪間座
１６ｂ…障害壁
２１Ａ，２１Ｂ…間座空間
２３…エア供給口
３０…排気経路
３１…連絡経路部分
３２…ハウジング内経路部分
Ｌ…直線
Ａ…圧縮エア
【図１】
2019173911.tif 000003
【図２】
2019173911.tif 000004
【図３】
2019173911.tif 000005
【図４】
2019173911.tif 000006
【図５】
2019173911.tif 000007
【図６】
2019173911.tif 000008
【図７】
2019173911.tif 000009